(57)【特許請求の範囲】
【請求項１】
給水をバーナで所定温度に加熱する給湯熱交換器と、出湯流量を所定流量に制御する流量制御手段とを有する給湯器と、循環ポンプと、循環水を検出する水流検出手段と、前記水流検出手段によって検出された循環水を加熱する風呂熱交換器を有するふろ釜と、浴槽と前記ふろ釜を接続する戻り通路と往き通路とからなる循環水回路と、前記循環水回路内に設けられた排水口と通電によって異物を凝集するアルミ電極と凝集した異物を除去するろ過材とを有する浄化装置と、前記給湯熱交換器で所定温度に加熱し、かつ前記流量制御手段にて所定流量に制限した温水を、前記ふろ釜に流し、ふろ釜内の風呂熱交換器で更に加熱して高温水とし、加熱タイマ手段の所定時間だけ浄化装置内を高温殺菌する高温殺菌加熱手段と、前記高温殺菌加熱手段の運転終了後、前記加熱した高温水を前記循環回路内に保持し、待機タイマ手段の所定時間だけ運転待機する高温保持手段とを有する高温殺菌制御手段を備えたふろ給湯器。
【請求項２】
高温殺菌制御手段への運転開始指示を所定時間経過毎に行う高温殺菌周期タイマ手段と、ふろ自動湯張り運転開始から自動湯張り運転が終了し、自動保温状態までに、少なくとも１回以上は高温殺菌周期タイマ手段の運転指示を判断する高温殺菌判定手段を備えた請求項１記載のふろ給湯器。
【請求項３】
高温殺菌周期タイマ手段の周期時間を複数個の所定時間、または周期時間を任意の時間に設定変更する周期時間設定手段を備えた請求項２記載のふろ給湯器。
【請求項４】
浴槽水を循環ポンプを駆動して、戻り通路、風呂熱交換器、往き通路、浄化装置の下部から上部方向、排水口へ流し、高温殺菌制御手段によって殺菌した異物や前記浄化装置により凝集した異物を排水口から排水する逆洗浄制御手段と、逆洗浄制御手段への運転指示を前記高温殺菌制御手段と高温保持手段による高温殺菌運転が終了した時点で行う逆洗浄判定手段とを備えた請求項１記載のふろ給湯器。
【請求項５】
高温殺菌制御手段の高温殺菌運転と逆洗制御手段の逆洗運転との両方の動作が正常に終了した時点で、今回の高温殺菌運転と逆洗運転の終了確定を決定する殺菌運転終了確定手段を設け、前記高温殺菌制御手段の動作途中や前記逆洗制御手段の運転途中で停止した場合は、次回の高温殺菌判定手段の判定にて、必ず高温殺菌運転と逆洗運転を行う請求項２または３記載のふろ給湯器。
【発明の詳細な説明】
【０００１】
【発明の属する技術分野】
本発明は、一般家庭用の浄化機能を有する給湯器付きふろ釜における、高温殺菌に関するものである。
【０００２】
【従来の技術】
近年、浴槽水を浄化・殺菌する目的で専用浄化装置や浄化・殺菌機能を有したふろ給湯器が要望されてきているが、従来の浄化・殺菌機能を有したふろ給湯器に関して図面を用いて説明する。
【０００３】
図１２は従来のふろ給湯器の構成図である。図１２において、水は水入口より水温センサ１，水量センサ２を通り、給湯熱交換器３で熱吸収して、給湯センサ４，水量制御弁５を通り、湯出口より放出される。ガスはガス入口より給湯元電磁弁６、給湯ガス比例弁７を通り、給湯バーナ８で燃焼される。
【０００４】
浴槽水は循環ポンプ３２により、風呂接続アダプタ１９，戻り通路１３，水位センサ１４，切換え三方弁１５，風呂センサ９，水流スイッチ１０，風呂熱交換器１１，往き通路１２，風呂接続アダプタ１９と循環し、風呂センサ９で検出する湯温が低下した時には、ガスが風呂ガス元電磁弁１６，ふろガス比例弁１７を通り、風呂バーナ１８で燃焼し、風呂熱交換器１１で熱を吸収して、浴槽水の追い焚きを行う。
【０００５】
浴槽への湯張りは、給湯熱交換器３で熱を吸収した湯が給湯センサ４，水量制御弁５を通り、給湯電磁弁２０，縁切弁２１，往き通路１２および風呂の戻り通路１３を通って、風呂接続アダプタ１９から浴槽へ入る。
【０００６】
【発明が解決しようとする課題】
しかしながら、上記の構成では、浴槽内で溜る垢や湯の汚れのために、複数の人が続けて入浴したり、浴槽の水を毎日続けて使用することは大変不潔であり、これをきれいにするためには浴槽の湯を交換し、浴槽を清掃しなければならないため、大変不経済であり手間のかかる作業であるという課題を有していた。
【０００７】
【課題を解決するための手段】
上記課題を解決するために、本発明の第１手段は、給湯器によって所定温度，所定流量の湯をふろ釜に供給し、水流検出後風呂熱交換器で湯を更に加熱し高温水を所定時間だけ供給することで浄化装置内部を高温にて殺菌するようにしたものである。また所定時間の風呂熱交換器の加熱終了後、高温状態を所定時間保持し更に殺菌期間を設けたものである。
【０００８】
上記した第１手段によれば、浄化装置内に高温水を流し、ばい菌を高温で殺菌して死滅させ、殺菌した菌を機器の外へ排出することにより、浄化装置を清潔にすることができる。
【０００９】
上記した第５手段によれば、高温殺菌運転や逆洗浄運転途中で、使用者の別の運転操作による動作停止や何らかのエラー停止が発生した場合は、次回の高温殺菌運転判定時には必ず高温殺菌運転を行うことができ、確実な殺菌を行い、かつ浄化装置を清潔に保つことができる。
【００１０】
【発明の実施の形態】
本発明の第１実施形態は、給水をバーナで所定温度に加熱する給湯熱交換器と、出湯流量を所定流量に制御する流量制御手段とを有する給湯器と、循環ポンプと、循環水を検出する水流検出手段と、前記循環ポンプにより循環水を前記水流検出手段によって検出して加熱する風呂熱交換器を有するふろ釜と、浴槽と前記ふろ釜を接続する戻り通路と往き通路とからなる循環水回路と、前記循環水回路内に設けた排水口と通電によって異物を凝集するアルミ電極と凝集した異物を除去するろ過材とを有する浄化装置と、前記給湯熱交換器で所定温度に加熱し、かつ前記流量制御手段にて所定流量に制限した温水を、前記ふろ釜に流し、ふろ釜内の風呂熱交換器で更に加熱して高温水とし、加熱タイマ手段の所定時間だけ浄化装置内を高温殺菌する高温殺菌加熱手段と、前記高温殺菌加熱手段の運転終了後、前記加熱した高温水を前記循環ポンプで循環しないで前記循環回路内に保持し、待機タイマ手段の所定時間だけ運転待機する高温保持手段とを有する高温殺菌制御手段を有するものである。
【００１１】
そして、浄化装置内のばい菌を給湯交換器と風呂交換器とで加熱した高温水で殺菌して死滅させるとともに、殺菌した菌を排水口から機器外へ排水することにより、浄化装置を清潔に保ちながら、浴槽水の水位と湯温を一定にして入浴することができる。
【００１２】
また本発明の第２実施形態は、前記高温殺菌制御手段への運転開始指示を所定時間経過毎に行う高温殺菌周期タイマ手段と、ふろ自動湯張り運転開始にて湯張り運転開始から自動保温動作状態までに、少なくとも１回以上は前記高温殺菌周期タイマ手段の運転指示を判断する高温殺菌判定手段を有するものである。
【００１３】
そして、浄化装置内の高温殺菌運転を所定時間毎に定期的に行い、ばい菌の繁殖を阻止することができ、かつふろ自動運転開始からふろ自動運転が沸き上がるまでに高温殺菌運転するかどうかを判定し、使用者が入浴する前に高温殺菌運転を行うことができる。
【００１４】
また、本発明の第３実施形態は、前記高温殺菌周期タイマ手段の周期時間を複数個の所定時間、または任意の時間に設定変更する周期時間設定手段を有するものである。
【００１５】
そして、ふろ給湯器を長い間使用して、浄化装置の汚れや殺菌動作の効果に合わせて、高温殺菌運転を行う周期時間を所定の何れかの時間、または任意に設定でき、１日に行う高温殺菌運転の回数を調整することができる。
【００１６】
また本発明の第４実施形態は、浴槽水を循環ポンプを駆動して、戻り通路、風呂熱交換器、往き通路、浄化装置の下部から上部方向、排水口へ流し、前記高温殺菌制御手段によって殺菌した異物や前記浄化装置により凝集した異物を排水口から排水する逆洗浄制御手段と、前記逆洗浄制御手段への運転指示を上記高温殺菌制御手段と前記高温保持手段による高温殺菌運転が終了した時点で行う逆洗浄判定手段とを有するものである。
【００１７】
そして、浄化手段内に溜る垢や湯の汚れを凝集した異物を機器の外へ排出することにより、浄化装置を清潔に保つことができる。また浄化装置内の空気溜りを機器の外へ排出でき、以降の循環ポンプによる循環動作を即正常に行うことができる。
【００１８】
また本発明の第５実施形態は、前記高温殺菌制御手段の高温殺菌運転と前記逆洗制御手段の逆洗運転との両方の動作が正常に終了した時点で、今回の高温殺菌運転と逆洗運転の終了確定を決定する殺菌運転終了確定手段を有するものである。
【００１９】
そして、前記高温殺菌制御手段の動作途中や前記逆洗制御手段の運転途中で、その他の運転操作や何らかのエラーが発生した場合に高温殺菌運転または逆洗浄運転を停止しても、次回の前記高温殺菌判定手段の判定にて、必ず高温殺菌運転と逆洗浄運転を行うので、定期的に確実に高温殺菌運転を完了することができ、更に浄化装置を清潔に保つことができる。
【００２０】
【実施例】
以下、本発明の実施令について図面を用いて説明する。
【００２１】
（実施例１）
図１は本発明の請求項１に関する実施例１の構成図である。図２は実施例１の高温殺菌に関するブロック構成図である。図３は実施例１の概略フローチャートである。
【００２２】
図１において、水温センサ１と水量センサ２と給湯センサ４と水量制御弁５の制御により給湯熱交換器３の加熱した約４５℃、６Ｌ／ｍｉｎの温水を給湯電磁弁２０および縁切弁２１からバイパス三方弁２２、風呂熱交換器１１へ流し、風呂交換器１１で更に加熱して約７５℃の高温水とし、下部往き通路２８、正逆三方弁２９、ろ過槽２７、排水三方弁２４、排水口３０へ流し、ろ過槽内の高温殺菌を行う構成である。
【００２３】
次に前記高温殺菌の詳細な運転について、図２に基づき説明する。図２において、殺菌開始状態になると高温殺菌加熱手段３４により前記高温殺菌運転を開始する。この高温殺菌運転は、所定時間Ｔｋを有する加熱タイマ手段３５により運転時間を制御され、前記加熱タイマ手段３５の所定時間Ｔｋの経過まで、前記高温殺菌加熱手段３４により高温殺菌運転が行われる。
【００２４】
前記加熱タイマ手段が所定時間Ｔｋの経過を判定すると、判定結果を高温殺菌加熱手段３４に伝え、前記高温殺菌加熱手段３４による高温殺菌加熱（４５℃注湯＋ふろ燃焼）動作が終了する。そして前記高温殺菌加熱手段３４の終了信号を受けて、高温保持手段３６が待機タイマ手段３７内の所定時間Ｔｗ経過まで、高温殺菌待機（４５℃注湯終了＋ふろ燃焼停止）動作を行う。
【００２５】
そして待機タイマ手段３７が所定時間Ｔｗの経過を判定すると、判定結果を高温保持手段３６に伝え、前記高温保持手段３６による高温殺菌待機動作が終了する。以上の動作を図３の概略フローチャートに示す。
【００２６】
（実施例２）
図４は本発明の請求項２に関する実施例２の高温殺菌に関するブロック構成図である。図５は実施例２の概略フローチャートである。
【００２７】
図４において、３９は所定の周期時間Ｔｓ（図示せず）をカウントし、前記周期時間Ｔｓ経過後に前記高温殺菌制御手段３３へ運転指示を出す高温殺菌周期タイマ手段、３８はふろ自動運転が沸き上がり状態になるまでに、前記高温殺菌周期タイマ３９の周期時間Ｔｓ経過を判断し、高温殺菌制御手段３３への運転指示を出す高温殺菌判定手段である。
【００２８】
動作について説明すると、前記高温殺菌周期タイマ手段３９では時間のカウントは常時行われ、周期時間Ｔｓ経過を高温殺菌周期タイマ手段３９が判定すると、周期時間経過結果を高温殺菌判定手段３８へ送る。
【００２９】
高温殺菌判定手段３８は、前記時間経過結果を受け、ふろ自動運転、かつ、沸き上がり状態前かどうか（図示せず）を判断し、前記条件を満たした時点で高温殺菌制御手段３３内の高温殺菌加熱手段３４へ運転指示を出す。
【００３０】
前記高温殺菌加熱手段３４以降の動作は、実施例１と同様であるので省略する。一方、前記高温殺菌周期タイマ手段自体が、周期時間Ｔｓの時間経過を判定した時点で、運転指示を高温殺菌制御手段３３内部の高温殺菌加熱手段に送る。
【００３１】
（実施例３）
図６は本発明の請求項３に関する実施例３の高温殺菌に関するブロック構成図である。図７は実施例３の概略フローチャートである。
【００３２】
図６において、４０は前記高温殺菌周期タイマ手段３９の所定周期時間Ｔｓを任意の時間に設定変更操作を行う外部に設けられた周期設定操作手段である。前記周期設定操作手段４０は例えば、スイッチ切り換え操作による所定個数の周期時間の選択する方式や、ＥＥＰＲＯＭなどの不揮発性の記憶素子に周期時間を記憶させ、その記憶した周期時間を読み出す方式などが挙げられる。
【００３３】
４１は前記周期設定操作手段４０にて設定変更操作された内容を読み取り、設定された周期時間Ｔｓ１を決定し、高温殺菌周期タイマ手段３９にセットする周期時間設定手段である。動作を説明すると、先ず例えば前記スイッチ切り換え方式による周期設定操作手段４０にて、切り換えスイッチ（図示せず）を操作する。
【００３４】
前記切り換えスイッチの操作内容を周期時間設定手段４１にて読み取り、切り換えスイッチ操作を検出する毎に周期時間を例えば時間Ｔｓａ、時間Ｔｓｂ、時間Ｔｓｃと言うように切り換えて行く。そして目的の周期時間（例えば、時間Ｔｓｂ）を選択した時点で、周期時間設定手段４１が選択された周期時間Ｔｓｂを設定変更された周期時間Ｔｓ１として確定し、高温殺菌周期タイマ手段３９への格納を行う。
【００３５】
そして前記高温殺菌周期タイマ手段３９では、格納された周期時間Ｔｓ１の時間カウントを開始し、時間経過を判定する。高温殺菌周期タイマ手段の時間経過判定以降の動作は実施例２と同様であるので省略する。
【００３６】
以上の動作を図７の概略フローチャートに示す。図７（ａ）は、切り換えスイッチ操作による高温殺菌周期時間を切り換える方式の一実施例を示した概略フローチャートである。また図７（ｂ）は、不揮発性メモリに記憶した高温殺菌周期時間を読み出して、高温殺菌周期時間を決定する方式の一実施例を示した概略フローチャートである。
【００３７】
（実施例４）
図８は本発明の請求項４に関する実施例４の高温殺菌に関するブロック構成図である。図９は実施例４の概略フローチャートである。
【００３８】
図８において、４２は高温殺菌制御手段３３内の高温保持手段３６の運転が終了したかどうか判定し、逆洗浄運転を行う指示を出す逆洗浄判定手段である。４３は前記逆洗浄判定手段４２の運転開始指示を受けて、逆洗浄運転を行う逆洗浄運転手段である。
【００３９】
４４は前記逆洗浄運転手段の所定運転時間Ｔｇをカウントする逆洗タイマ手段である。４５は前記逆洗浄判定手段４２と前記逆洗浄運転手段４３と前記逆洗タイマ手段４４とを有する逆洗浄制御手段である。
【００４０】
動作を説明すると、前記高温殺菌制御手段３３内の高温加熱手段３４の運転と高温保持手段３６の運転が終了した時点を前記逆洗浄判定手段４２が判定すると、逆洗浄運転手段４３に運転開始指示を出し、逆洗タイマ手段４４の所定時間Ｔｇの時間カウントの間だけ逆洗運転を行う。
【００４１】
そして前記逆洗タイマ手段４４の所定時間Ｔｇの経過を判定して、逆洗浄運転手段による運転を終了する。以上の動作を図９の概略フローチャートに示す。
【００４２】
（実施例５）
図１０は本発明の請求項５に関する実施例５の高温殺菌に関するブロック構成図である。図１１は実施例５の概略フローチャートである。
【００４３】
図１０において、４６は高温殺菌制御手段３３の所定時間の動作終了と逆洗浄制御手段４５の所定時間の逆洗浄動作終了時点で、今回の殺菌動作が完全に終了したことを判定する殺菌運転終了確定手段である。
【００４４】
動作を説明すると、前記高温殺菌制御手段３３の動作途中で高温殺菌動作が中止されたり、また前記逆洗浄制御手段４５の動作途中で高温殺菌動作が中止された場合には、前記殺菌運転終了確定手段５９がこれを判定し、今回の殺菌動作が完全に終了していないことを認識する。そして次に高温殺菌周期タイマ手段３８への次回の高温殺菌周期時間Ｔｓのセットを行わず、殺菌動作を終了する。
【００４５】
ここで、前記高温殺菌周期タイマ手段３８は周期時間がセットされないので、常に所定時間経過した状態のままとなっており、次回のふろ自動運転時に高温殺菌判定手段３９にて前記高温殺菌周期タイマ手段３８の時間経過信号を受けて、高温殺菌動作を行うため高温殺菌加熱手段３４へ運転指示を出す。
【００４６】
次に前記高温殺菌制御手段３３の所定時間が経過し、また前記逆洗浄制御手段４５の所定時間が経過した場合には、前記殺菌運転終了確定手段４６がこれを判定し、今回の殺菌動作が完全に終了したことを認識する。そして次に高温殺菌周期タイマ手段３８への次回の高温殺菌周期時間Ｔｓを今度はセットし、殺菌動作を終了する。
【００４７】
ここで前記高温殺菌周期タイマ手段３８は、周期時間Ｔｓがセットされたので、以降前記周期時間Ｔｓのカウントを開始する。そして、次回のふろ自動運転した場合に、高温殺菌判定手段３９にて前記高温殺菌周期タイマ手段３８の時間カウント中の信号を受けて、今回の高温殺菌動作は行わない様に指示を出す。以上の動作を図１１の概略フローチャートに示す。
【００４８】
【発明の効果】
以上のように、本発明のふろ給湯器は、浄化装置内に高温水を所定時間だけ流し、かつその後所定時間の待機動作を行うことで、ばい菌を高温で確実に殺菌して死滅させ、殺菌した菌を機器の外へ排出することにより、浄化装置を清潔にすることができる。
【００４９】
また高温殺菌周期時間を設けることにより、浄化装置の高温殺菌運転を自動的に定期的に行うことができる。またふろ自動運転開始から沸き上がり状態までに、所定時間経過を判断するので、使用者が入浴するまでに高温殺菌運転を終了することができ、使用者が入浴する時期には、ふろ給湯器内部の殺菌が終了状態であり、水の汚れやばい菌のない湯を供給できる。
【００５０】
高温殺菌運転の運転周期（運転回数）が設定できるので、使用者の入浴パターンの違いや長い間使用した場合の浄化槽内の蓄積された汚れなどによるばい菌の増加を使用実態に合わせて設定変更でき、浄化装置内の殺菌を行い、清潔に保つことができる。
【００５１】
また、逆洗浄制御装置を高温殺菌制御装置終了後の行うことで、浴槽内や戻り通路や浄化装置内に溜る垢や湯の汚れを凝集した異物を機器の外へ排出して、浄化装置を清潔に保つことができる。
【００５２】
また高温殺菌運転や逆洗浄運転途中で、使用者の別の運転操作による動作停止や何らかのエラー停止が発生した場合は、次回の高温殺菌運転判定時には必ず高温殺菌運転を行うことができ、確実な殺菌を行い、かつ浄化装置を清潔に保つことができる。
【図面の簡単な説明】
【図１】  本発明の請求項１に関する実施例１の構成図
【図２】  本発明の請求項１に関する実施例１のブロック構成図
【図３】  本発明の請求項１に関する実施例１の概略フローチャート
【図４】  本発明の請求項２に関する実施例２のブロック構成図
【図５】  本発明の請求項２に関する実施例２のタイムチャート
【図６】  本発明の請求項３に関する実施例３のブロック構成図
【図７】  （ａ）本発明の請求項３に関する切り換えスイッチによる切り換え方式の概略フローチャート
（ｂ）本発明の請求項３に関する不揮発性メモリによる切り換え方式の概略フローチャート
【図８】  本発明の請求項４に関する実施例４のブロック構成図
【図９】  本発明の請求項４に関する実施例４の概略フローチャート
【図１０】  本発明の請求項５に関する実施例５のブロック構成図
【図１１】  本発明の請求項５に関する実施例５の概略フローチャート
【図１２】  従来のふろ給湯器に関する構成図
【符号の説明】
２５  ろ過材
２６  アルミ電極
２７  ろ過槽
３４  高温殺菌加熱手段
３５  加熱タイマ手段
３６  高温殺菌保持手段
３７  待機タイマ手段
３８  高温殺菌判定手段
３９  高温殺菌周期手段
４０  周期設定操作手段
４１  周期時間設定手段
４２  逆洗浄判定手段
４３  逆洗浄運転手段
４４  逆洗タイマ手段
４５  逆洗浄制御手段
４６  殺菌運転終了確定手段
【図１】
0003899610.tif 000002
【図２】
0003899610.tif 000003
【図３】
0003899610.tif 000004
【図４】
0003899610.tif 000005
【図５】
0003899610.tif 000006
【図６】
0003899610.tif 000007
【図７】
0003899610.tif 000008
【図８】
0003899610.tif 000009
【図９】
0003899610.tif 000010
【図１０】
0003899610.tif 000011
【図１１】
0003899610.tif 000012
【図１２】
0003899610.tif 000013